(57)【要約】【課題】パウチ袋に収容された状態で展示できるとともに、廃棄することなく何度も展示できて無駄を減らし、裏に記載されている原材料表示を容易に見ることができる食品サンプルの展示方法を提供する。【解決手段】第１の面１２に食品名を表示し、第２の面１３に原材料が表示された透明なパウチ袋１１の内部に、食品を第１の面１２側から見た画像を印刷した第１の画材１５を第１の面１２側に向かって入れる。同様に、食品を第２の面１３側から見た画像を印刷した第２の画材１６を、第２の面１３に向かって入れる。そして、第１の画材１５と第２の画材１６の間に充填材１７を充填するとともに、第１の画材１５と第２の画材１６の間に、第１の磁性体１８を設ける。また、食品サンプル１０を支持するサンプル支持面２２に、第１の磁性体１８と互いに吸引し合う第２の磁性体２３を取り付ける。【選択図】図１
2015105982.tif 000002
【特許請求の範囲】
【請求項１】
第１の面には主に食品名を表示し、第２の面には主に食品の原材料が表示された透明なパウチ袋の内部に、前記食品を前記第１の面側から見た画像を印刷した第１の画材を前記第１の面側に向かって入れるともに、前記食品を前記第２の面側から見た画像を印刷した第２の画材を前記第２の面に向かって入れ、
前記第１の画材と前記第２の画材の間に前記食品の質感を実現可能な充填材を充填し、
前記第１の画材と前記第２の画材の間に第１の磁性体を設けて食品サンプルを作成後、
前記食品サンプルを、載置面に対して角度を有するとともに前記第１の磁性体と互いに吸引し合う第２の磁性体が取り付けられたサンプル支持面に、前記第１の磁性体と前記第２の磁性体とが互いに吸引し合う状態で前記食品サンプルを着脱可能に取り付ける食品サンプルの展示方法。
【請求項２】
請求項１に記載の食品サンプルの展示方法において、
前記サンプル支持面が、全体Ｌ字形状の食品サンプル展示台に設けられた透明部材からなり、
前記サンプル支持面の後方に空間を有する食品サンプルの展示方法。
【発明の詳細な説明】
【技術分野】
【０００１】
本発明は、食品展示会において食品サンプルを展示する食品サンプルの展示方法に関する。
【背景技術】
【０００２】
＜背景技術の説明＞
従来、パウチ袋に食品を収容した食品サンプルを展示会や店頭に展示する食品サンプル展示具が提案されている（例えば、特許文献１参照）。
図６に示すように、特許文献１に記載の食品サンプル展示具１００は、前下がりの傾斜姿勢になるよう傾斜角度が調整可能な台部材１０１と、この台部材１０１の上側に配され透明なドーム状のカバー部材１０２を有する。
食品サンプル１０３を展示する際には、台部材１０１の上に食品サンプル１０３を載置し、カバー部材１０２で覆う。
このような食品サンプル展示具１００では、食品サンプル１０３として実際の食品を用いる場合がある。
【０００３】
＜背景技術の課題＞
しかしながら、パウチ袋等に収容されている実際の食品をサンプルとして用いる場合には、以下のような問題があった。
・展示会毎に食品サンプルの廃棄が発生するため、無駄が多い。
・食品が冷凍品である場合には、周囲に水滴が結露して汚れる。
・食品がパウチ袋内部で重力により落ちて下部に溜まるため、見栄えが悪い。
・カバー部材１０２で覆われているので、食品サンプルが取りにくく、パウチ袋の裏側に印刷されている原材料表示等が見にくい。
【先行技術文献】
【特許文献】
【０００４】
【特許文献１】特開２００４−７３６９０号公報（第１図）
【発明の概要】
【発明が解決しようとする課題】
【０００５】
本発明は、従来の問題を解決するためになされたもので、パウチ袋に収容された状態で展示できるとともに、廃棄することなく何度も展示できて無駄を減らし、裏に記載されている原材料表示を容易に見ることができる食品サンプルの展示方法を提供することを目的とする。
【課題を解決するための手段】
【０００６】
＜請求項１の内容＞
（１）本願発明に係る１つの態様は、
第１の面には主に食品名を表示し、第２の面には主に食品の原材料が表示された透明なパウチ袋の内部に、前記食品を前記第１の面側から見た画像を印刷した第１の画材を前記第１の面側に向かって入れるともに、前記食品を前記第２の面側から見た画像を印刷した第２の画材を前記第２の面に向かって入れ、
前記第１の画材と前記第２の画材の間に前記食品の質感を実現可能な充填材を充填し、
前記第１の画材と前記第２の画材の間に第１の磁性体を設けて食品サンプルを作成後、
前記食品サンプルを、載置面に対して角度を有するとともに前記第１の磁性体と互いに吸引し合う第２の磁性体が取り付けられたサンプル支持面に、前記第１の磁性体と前記第２の磁性体とが互いに吸引し合う状態で前記食品サンプルを着脱可能に取り付ける食品サンプルの展示方法を提供する。
【０００７】
＜請求項２の内容＞
（２）上記（１）に記載の食品サンプルの展示方法において、
前記サンプル支持面が、全体Ｌ字形状の食品サンプル展示台に設けられた透明部材からなり、
前記サンプル支持面の後方に空間を有するものであってもよい。
【発明の効果】
【０００８】
本発明は、パウチ袋に収容された状態で展示できるとともに、廃棄することなく何度も展示できて無駄を減らし、裏に記載されている原材料表示を容易に見ることができるという効果を有する食品サンプルの展示方法を提供できる。
【図面の簡単な説明】
【０００９】
【図１】本発明に係る実施形態の食品サンプルの展示方法で展示した食品サンプルおよび食品サンプル展示台の正面図
【図２】本発明に係る実施形態の食品サンプルの展示方法で展示した食品サンプルおよび食品サンプル展示台の背面図
【図３】食品サンプルの分解組立図
【図４】図１中ＩＶ−ＩＶ位置の断面図
【図５】図４中Ｖ部分の拡大図
【図６】従来の食品サンプル展示具の側面図
【発明を実施するための形態】
【００１０】
＜食品サンプルと食品サンプル展示台の概要＞
以下、本発明に係る実施形態の食品サンプルの展示方法について、図面を用いて説明する。
図１および図２には、本発明に係る実施形態の食品サンプルの展示方法によって展示されている食品サンプル１０および、食品サンプル１０を支持する食品サンプル展示台２０が示されている。
【００１１】
＜食品サンプルの構成、パウチ袋＞
図３及び図４に示すように、食品サンプル１０は、表面（第１の面）１２１に主に食品名等を表示した透明な表面材１２と、裏面（第２の面）１３１に主に原材料等が表示された透明な裏面材１３とから収容空間１４を形成したパウチ袋１１を有する。
パウチ袋１１は、一般的に食品側にはポリプロピレン又はポリエチレン、外側にはポリエステル（ＰＥＴ）、ポリブチルエステル（ＰＢＴ）又はポリアミド（ＰＡ）といった合成樹脂を積層加工（ラミネート加工）したフィルムで形成することができ、空気や水分を遮断して、内部の食品を密閉するものである。
すなわち、実際に食品（冷凍、チルド、常温のものを含む。）を包装して販売するためのパウチ袋１１を用いることができる。
【００１２】
＜食品サンプルの構成、パウチ袋＞
図３および図４に示すように、パウチ袋１１の収容空間１４には、食品を表面１２１側から見た画像１５１を印刷した第１の画材１５を表面材１２に向かって入れるとともに、食品を裏面１３１側から見た画像１６１を印刷した第２の画材１６を裏面材１３に向かって入れる。
第１の画材１５および第２の画材１６は、紙やシート状の樹脂等を用いることができる。また、画像１５１，１６１は、第１の画材１５および第２の画材１６に写真を印刷して作成できる。あるいは、食品を写実的に描くことも可能である。
【００１３】
＜食品サンプルの構成、充填材および磁性体＞
パウチ袋１１に収容された第１の画材１５と第２の画材１６との間には、食品の質感を実現可能な充填材１７を充填する。
充填材１７は、食品が軟らかい感じの場合には、綿のような軽くて自由な形状でかさばるものを使用することができる。あるいは、食品が板状等の固形物の感じの場合には、例えば発泡スチロール等の樹脂を用いることができる。
第１の画材１５と第２の画材１６の間には、第１の磁性体１８が取り付けられている。第１の磁性体１８は、第２の画材１６の内面に取り付けたり、充填材１７の内部に取り付けたりすることができる。
第１の磁性体１８としては、磁性を帯びることが可能な物質であれば特に限定はなく、磁石・酸化鉄・非酸化鉄・酸化クロム・コバルト・フェライト等を、板状に形成して用いることができる。第１の磁性体１８の形状や個数は特に限定するものではない。
【００１４】
＜食品サンプル展示台の構成＞
図２および図４に示すように、食品サンプル展示台２０は、展示場の机等の載置面３０に載置される基板２１と、基板２１に支持され食品サンプル１０を取り付けるサンプル支持面２２を有する。
食品サンプル展示台２０は、全体Ｌ字形状をしており、サンプル支持面２２と基板２１との間には、空間Ｓが設けられている。
サンプル支持面２２は、透明な樹脂により形成されている。基板２１も透明な樹脂により形成することができるが、透明でなくても可能である。
なお、基板２１とサンプル支持面２２とは、一体的に成形することができるが、別個に作成して接続することも可能である。また、サンプル支持面２２に角度が調整できるようにすることも可能である。
【００１５】
＜食品サンプル展示台の磁性体＞
食品サンプル１０の第１の磁性体１８と互いに吸引し合う第２の磁性体２３は、図４および図５に示すように、サンプル支持面２２の裏面２２１に、取り付けられている。また、第２の磁性体２３は、サンプル支持面２２の表面に貼り付けてもよい。
第２の磁性体２３は、磁性を帯びることが可能な物質であれば特に限定はなく、第１の磁性体１８が磁石の場合には、磁石あるいは磁性を帯びていない酸化鉄・非酸化鉄・酸化クロム・コバルト・フェライト等を用いることができる。
なお、第１の磁性体１８が磁性を帯びていない酸化鉄・非酸化鉄・酸化クロム・コバルト・フェライト等の場合には、第２の磁性体２３は磁石を用いることができる。
第２の磁性体２３の配置および数は、特に限定するものではないが、食品サンプル１０をサンプル支持面２２の所望の位置に取り付けるべく、第１の磁性体１８の位置に対応するように配置する。
【００１６】
＜食品サンプルの展示方法−１＞
次に、食品サンプルの展示方法について説明する。
上述したようにして作成された食品サンプル１０の第１の磁性体１８が、食品サンプル展示台２０のサンプル支持面２２の第２の磁性体２３に吸着されるように、食品サンプル１０を食品サンプル展示台２０にくっつける。
そして、食品サンプル展示台２０の基板２１を載置面３０に載置する。これにより、食品サンプル１０は、載置面３０から立ち上がるように、展示される。
【００１７】
＜食品サンプルの展示方法−２＞
また、お客さんは、食品サンプル１０の裏面材１３に記載された原材料表示等を見たい場合には、食品サンプル１０を食品サンプル展示台２０から取り外して、容易に見ることができる。
食品サンプル１０を食品サンプル展示台２０に戻す際には、食品サンプル１０の第１の磁性体１８を、食品サンプル展示台２０のサンプル支持面２２に設けられている第２の磁性体２３に吸着させてくっつける。
【００１８】
＜請求項１に対する作用・効果−１＞
次に、本発明の食品サンプルの展示方法の作用効果について説明する。
本発明の食品サンプルの展示方法では、まず、食品サンプル１０を以下のようにして作成する。
すなわち、表面材１２には主に食品名を表示し、裏面材１３には主に原材料が表示された透明なパウチ袋１１の内部に、食品を表面１２１側から見た画像を印刷した第１の画材１５を表面材１２に向かって入れる。
また、パウチ袋１１の内部に、食品を裏面１３１側から見た画像を印刷した第２の画材１６を、裏面材１３に向かって入れる。
【００１９】
＜請求項１に対する作用・効果−２＞
そして、第１の画材１５と第２の画材１６の間に食品の質感を実現可能な充填材１７を充填するとともに、第１の画材１５と第２の画材１６の間に、第１の磁性体１８を設ける。
これにより、外観上パウチ袋１１の内部にあたかも食品が収容されているように見える食品サンプル１０を作成できる。
【００２０】
＜請求項１に対する作用・効果−３＞
また、食品サンプル１０を支持し、載置面３０に対して角度を有するサンプル支持面２２に、第１の磁性体１８と互いに吸引し合う第２の磁性体２３を取り付けておく。
これにより、食品サンプル１０の第１の磁性体１８と、サンプル支持面２２の第２の磁性体２３とが互いに引き合うので、食品サンプル１０を容易にサンプル支持面２２に着脱可能に取り付けることができる。
これに伴い、食品サンプル１０を食品サンプル展示台２０から取り外して、裏に記載されている原材料表示を容易に見ることができる。
【００２１】
＜請求項１に対する作用・効果−４＞
また、サンプル支持面２２は、載置面３０に対して角度を有するので、お客の注意を引きやすい。
さらに、食品サンプル１０をパウチ袋１１に収容された状態で展示できるとともに、パウチ袋１１に収容されている食品が腐ったり、冷凍食品が解凍したりすることにより生じる水滴により汚れることがない。
このため、食品が悪くなって廃棄することがなく、何度も展示できて無駄を減らすことができる。
【００２２】
＜請求項２に対する作用・効果＞
また、本発明の食品サンプルの展示方法では、サンプル支持面２２が、全体Ｌ字形状の食品サンプル展示台２０に設けられた透明部材からなり、サンプル支持面２２の後方に空間Ｓを有する。
これにより、食品サンプル１０が宙に浮いたような感じを受け、インパクトがあって、お客の注意を喚起する。
【００２３】
＜変形例−１＞
本発明の食品サンプルの展示方法は、前述した実施形態に限定されるものでなく、適宜な変形，改良等が可能である。
例えば、前述した実施形態においては、全体矩形状のパウチ袋１１を用いた場合を例示したが、本発明は矩形状以外のパウチ袋１１にも適用可能である。
【００２４】
＜変形例−２＞
また、前述した実施形態においては、食品サンプル１０の中心に１個の第１の磁性体１８を設け、食品サンプル展示台２０のサンプル支持面２２の中央に１個の第２の磁性体２３を設けた場合を例示した。
この他、第１の磁性体１８および第２の磁性体２３を複数個設けることも可能である。さらに、第２の磁性体２３を複数個設け、そのうちの少なくとも１個に第１の磁性体１８をくっつけるようにして、食品サンプル１０を展示することも可能である。
【符号の説明】
【００２５】
１０  食品サンプル
１１  パウチ袋
１２１  表面材の表面（第１の面）
１３１  裏面材の裏面（第２の面）
１５  第１の画材
１６  第２の画材
１７  充填材
１８  第１の磁性体
２０  食品サンプル展示台
２２  サンプル支持面
２３  第２の磁性体
３０  載置面
Ｓ  空間
【図１】
2015105982.tif 000003
【図２】
2015105982.tif 000004
【図３】
2015105982.tif 000005
【図４】
2015105982.tif 000006
【図５】
2015105982.tif 000007
【図６】
2015105982.tif 000008